(57)【要約】      （修正有）【課題】濃煙がカーテンの反対側に流れ込むのを確実に防止する防煙防火カーテン装置を提供する。【解決手段】防煙防火カーテン装置は、ボックスに巻取りユニットが内設され、カーテンの上端は巻取りユニットに連結される。ボックスの両側箇所にはカーテンレール４が設置され、且つ２本のカーテンレールのガイド溝４１内には挟持板５が各々設置され、挟持板は支持板６１に枢設される。支持板には従属輪６２が構設され、且つ従属輪はカーテンレールに固設される回転用動力源に構設される能動輪６４に歯合される。これにより、カーテンが降ろされて定位すると、カーテンレールの底側に位置するトリガースイッチに接触し、トリガースイッチにより回転用動力源が駆動され、支持板に枢設される挟持板が押されて前に移動され、カーテンが挟持板とカーテンレールとの間に緊密に挟持されて隙間が残らなくなる。【選択図】図４
0003195459.tif 000002
【実用新案登録請求の範囲】
【請求項１】
内部に収納空間が成型されるボックスが設置され、且つ前記ボックスの底側には収納空間に連通される開口部が設けられ、前記ボックスの収納空間には巻取りユニットが内設されるほかにカーテンが設けられ、前記カーテンの上端は前記巻取りユニットに連結され、且つ前記カーテンの底端にはウェザーストリップが設けられ、前記ボックスの両側箇所にはカーテンレールが設置され、前記カーテンレールには前記カーテンレールに沿って設けられるガイド溝が成型され、前記２本のカーテンレールのガイド溝内には挟持板が各々設置され、前記カーテンが前記ガイド溝の溝壁と挟持板との間に位置し、前記カーテンレールのガイド溝には支持ユニットが内設され、前記支持ユニットは支持板を備え、前記支持板の一端は前記挟持板の前記カーテンに対する反対面に枢設され、前記支持板には従属輪が構設されるほかに回転用動力源が設置され、前記回転用動力源が前記カーテンレールに固設されると共に駆動軸が能動輪に連結され、且つ前記従属輪及び能動輪は互いに歯合されることを特徴とする、
防煙防火カーテン装置。
【請求項２】
前記防煙防火カーテン装置は前記カーテンレールのガイド溝の底側箇所に設置されるトリガースイッチを更に備え、前記トリガースイッチは前記支持ユニットの回転用動力源に接続され、且つ前記トリガースイッチは前記カーテンの底端のウェザーストリップに当接されることを特徴とする、請求項１記載の防煙防火カーテン装置。
【請求項３】
前記ボックスの開口部の側箇所には可撓性を有する排煙板が構設され、且つ前記排煙板により前記開口部箇所が遮蔽されることを特徴とする、請求項１記載の防煙防火カーテン装置。
【考案の詳細な説明】
【技術分野】
【０００１】
本考案は、防煙防火カーテン装置に関し、より詳しくは、カーテンが下ろされた後、カーテンレール等の箇所には良好な気密効果が形成され、濃煙がカーテンの反対側に流入するのを防止させる防煙防火カーテン装置に関する。
【背景技術】
【０００２】
都市部の高層ビルが林立する地区で火災が発生した場合、熱気、濃煙、及び火が各階層間の通路に沿って燃え広がる。火災統計資料によると、死傷者は火災発生時に煙を吸って死傷する者が多く、直接火によって焼死する者は少ない。このため、火災発生時の濃煙が広まるのを如何に防止し、死傷者を減少させるかが重要な課題である。
【０００３】
各国の消防法の中では多くが建築物に防排煙システムの設置を義務付けており、これにより、火災発生時に発生する煙を隔絶する。従来の防排煙システムは主に防火カーテン等の設備により遮煙を行っている。
一般的な防煙防火カーテン装置は、未使用時、カーテンが天井に装設されるボックス内に巻き取られて収納されており、火災発生時にカーテンが起動してボックスから下に下ろされ、煙が拡散しないように隔絶させる。
【考案の概要】
【考案が解決しようとする課題】
【０００４】
しかしながら、前述した従来の防煙防火カーテン装置では、ボックスのカーテンを下すための開口部とカーテンとの間には隙間があり、煙等がこの隙間からボックスに流れ込み、さらにカーテンの反対側にまで流出してしまった。このほか、従来の防煙防火カーテン装置のカーテンが下ろされた後、カーテンの側辺は往々にして両側のレール壁面への密着が不完全になり、カーテンとレール壁面との間に小さな隙間が残り、煙等が前記隙間からカーテンの反対側に流れ込み、前記防煙防火カーテン装置の役割が形骸化してしまった。
【０００５】
そこで、本考案者は上記の欠点が改善可能と考え、関連分野の長年の製造及び設計の経験と知識とを用い、検討を重ねた結果、従来の防煙防火カーテン装置に改良を加えて、上記の課題を効果的に改善する本考案の提案に到った。
【０００６】
本考案は、上記の事情を考慮してなされたものである。上記課題解決のため、本考案は、カーテンが下ろされた後、カーテンレール等の箇所には良好な気密性が生まれ、濃煙がカーテンの反対側に流入するのを防止させる、防煙防火カーテン装置を提供することを主目的とする。
【課題を解決するための手段】
【０００７】
上述した課題を解決し、目的を達成するために、本考案に係る防煙防火カーテン装置は、内部に収納空間が成型されるボックスが設置され、且つ前記ボックスの底側には収納空間に連通される開口部が設けられ、前記ボックスの収納空間には巻取りユニットが内設されるほかにカーテンが設けられ、前記カーテンの上端は前記巻取りユニットに連結され、且つ前記カーテンの底端にはウェザーストリップが設けられ、前記ボックスの両側箇所にはカーテンレールが設置され、前記カーテンレールには前記カーテンレールに沿って設けられるガイド溝が成型され、なお、前記２本のカーテンレールのガイド溝内には挟持板が各々設置され、前記カーテンが前記ガイド溝の溝壁と挟持板との間に位置され、前記カーテンレールのガイド溝には支持ユニットが内設され、前記支持ユニットは支持板を備え、前記支持板の一端は前記挟持板の前記カーテンに対する反対面に枢設され、さらに、前記支持板には従属輪が構設されるほかに回転用動力源が設置され、前記回転用動力源が前記カーテンレールに固設されると共に駆動軸が能動輪に連結され、且つ前記従属輪及び能動輪は互いに歯合されることを特徴とする。
【０００８】
本考案に係る防煙防火カーテン装置においては、前記防煙防火カーテン装置は火災報知器を更に備え、前記火災報知器は前記支持ユニットの回転用動力源に接続される。
【０００９】
本考案に係る防煙防火カーテン装置においては、前記防煙防火カーテン装置は、前記カーテンレールのガイド溝の底側箇所に設置されるトリガースイッチを更に備え、前記トリガースイッチは前記支持ユニットの回転用動力源に接続され、且つ前記トリガースイッチは前記カーテンの底端のウェザーストリップに当接される。
【００１０】
本考案に係る防煙防火カーテン装置においては、前記ボックスの開口部の側箇所には可撓性を有する排煙板が構設され、且つ前記排煙板により前記開口部箇所が遮蔽される。
【００１１】
本考案に係る防煙防火カーテン装置においては、前記挟持板の前記カーテンに対応する面には気密ガスケットが構設される。
【００１２】
本考案に係る防煙防火カーテン装置においては、前記カーテンの底側箇所にはウェイトブロックが更に連結され、前記ウェイトブロックは前記ウェザーストリップの上方箇所に位置される。
【００１３】
本考案に係る防煙防火カーテン装置においては、前記挟持板は底側の前記カーテンに対応する面の箇所に凹部が成型され、前記カーテンの底側に構設されるウェイトブロックは前記凹部に対応して納置される。
【００１４】
本考案に係る防煙防火カーテン装置においては、前記支持ユニットの支持板の端部には円角を呈する滑動面が設けられる。
【００１５】
本考案に係る防煙防火カーテン装置においては、前記カーテンレールは前記ボックスの下方に連結され、前記カーテンレールのガイド溝の上端の溝口は前記ボックスの開口部に連通される。
【考案の効果】
【００１６】
本考案によれば、カーテンが下ろされて定位すると、カーテンレールの底側に位置されるトリガースイッチに接触し、トリガースイッチによりトリガースイッチに接続される回転用動力源が駆動され、能動輪が連動されて従属輪を連動させ、従属輪により連結される支持板が連動されて傾動し、さらに支持板に枢設される挟持板を押して前に移動させ、カーテンが挟持板とカーテンレールとの間に緊密に挟持されて隙間が残らなくなる。これにより、濃煙がカーテンの反対側に流れ込むのを確実に防止させる効果を達成させる。
【図面の簡単な説明】
【００１７】
【図１】本考案の第１実施形態による防煙防火カーテン装置を示す外観図である。
【図２】本考案の第１実施形態による防煙防火カーテン装置を示す斜視図である。
【図３】本考案のボックスを示す断面図である。
【図４】本考案のカーテンレールを示す断面図である。
【図５】本考案のトリガースイッチの位置図である。
【図６】本考案の防煙防火カーテン装置の使用状態図（一）である。
【図７】本考案の防煙防火カーテン装置の使用状態図（二）である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１９】
（第１実施形態）
まず、本考案の防煙防火カーテン装置を図１〜５を参照しながら説明する。本考案の防煙防火カーテン装置は、内部には収納空間（１１）が設けられ、底側には開口部（１２）が設けられ、且つ開口部（１２）の側箇所には可撓性を有する排煙板（１３）が構設され、前記排煙板（１３）により前記開口部（１２）箇所が半分遮蔽され、前記排煙板（１３）は防火材質で製造されるボックス（１）を備える。
また、前記ボックス（１）の収納空間（１１）内に装設され、主にモーターの回転用動力源（２１）、複数の歯車が歯合されることで組成される駆動部材（２２）、及びシャフト（２３）を備え、前記回転用動力源（２１）とシャフト（２３）との間は前記駆動部材（２２）により相互に構設される巻取りユニット（２）を備える。
さらに、防火材質で製造され、上端は前記巻取りユニット（２）のシャフト（２３）に連結され、底端には防火材質のウェザーストリップ（３１）が設けられ、且つ背面の前記ウェザーストリップ（３１）の上方に位置される箇所にはウェイトブロック（３２）が連結されるカーテン（３）を備える。
また、前記ボックス（１）の下方の両側箇所に連結され、各々ガイド溝（４１）が成型されると共に前記ガイド溝（４１）はそれらに沿うように設けられ、前記ガイド溝（４１）の上端の溝口は前記ボックス（１）の開口部（１２）に連通され、前記カーテン（３）は前記ボックス（１）の開口部（１２）からそれらのガイド溝（４１）の溝口を経由して前記ガイド溝（４１）中に進入する２本のカーテンレール（４）を備える。
加えて、２本のカーテンレール（４）のガイド溝（４１）に別々に設置され、それらは２本のカーテンレール（４）のガイド溝（４１）に沿って下に向けられ、また、それらの前面の底側箇所には凹部（５１）が成型されると共に前記カーテン（３）の底側に連結されるウェイトブロック（３２）が対応して納置され、それらの前面には防火材質で製造される気密ガスケット（５２）が構設され、前記２枚の挟持板（５）の背面には複数の耳部（５３）が成型され、且つ耳部（５３）にはほぞ穴が設けられる２枚の挟持板（５）を備える。
さらに、２本のカーテンレール（４）のガイド溝（４１）中に別々に設置され、支持板（６１）を備え、前記支持板（６１）の一端にはほぞ穴（６１１）が設けられると共に枢軸（６１２）により前記支持板（６１）のほぞ穴（６１１）及び挟持板（５）の耳部（５３）のほぞ穴に穿設され、前記支持板（６１）及び挟持板（５）は互いに枢設され、前記支持板（６１）の両端部のその上下の端縁箇所には円角を呈する滑動面（６１３）がそれぞれ設けられ、また、前記支持板（６１）の中間箇所には従属輪（６２）が構設されるほかに回転用動力源（６３）が設置され、前記回転用動力源（６３）は正回転及び逆回転するサーボモーターであり、前記回転用動力源（６３）の駆動軸（６３１）は能動輪（６４）に連結され、且つ前記従属輪（６２）及び能動輪（６４）は互いに歯合され、本考案の最も好ましい実施形態では、前記従属輪（６２）及び能動輪（６４）は相互に歯合する歯車セットであり、前記回転用動力源（６３）はカーテンレール（４）に固設される載置板（４２）に固装される少なくとも２つの支持ユニット（６）を備える。
また、少なくとも１つのカーテンレール（４）のガイド溝（４１）の底側箇所に設置され、また、支持ユニット（６）の回転用動力源（６３）に接続され、且つカーテン（３）の底端のウェザーストリップ（３１）の側辺に当接される少なくとも１つのトリガースイッチ（７）を備える。
さらに、煙感知器或いは温度感知器等の内の何れか１つであり、前記巻取りユニット（２）の回転用動力源（２１）及び支持ユニット（６）の回転用動力源（６３）にそれぞれ接続され、ボックス（１）ないしはボックス（１）の外等の箇所に構設される火災報知器を備える。
【００２０】
これにより、本実施形態を使用する場合、本考案に係るボックス（１）を建築物の通路の出入口或いはエレベーターのドア等の箇所上方に装設し、続いて２本のカーテンレール（４）を建築物の通路の出入口或いはエレベーターのドアの両側に設置させる。
平時には、カーテン（３）はボックス（１）内に巻き取られて収納される。火災発生時には火災報知器が火災で発生する濃煙或いは高温を感知すると、火災報知器は支持ユニット（６）の回転用動力源（６３）を作動させ、回転用動力源（６３）は駆動軸（６３１）により能動輪（６４）を連動させて逆回転させ、能動輪（６４）に歯合される従属輪（６２）が連動されて正回転する。また、従属輪（６２）に連結される支持板（６１）は従属輪（６２）に従い同様に正回転し後ろ上方に傾動し、支持板（６１）に枢設される挟持板（５）を連動させて後方上方に移動させる。この際、挟持板（５）は前記カーテンレール（４）のガイド溝（４１）の前側の溝壁箇所から脱離した状態になり、カーテンレール（４）のガイド溝（４１）の前側の溝壁と挟持板（５）との間にはカーテン（３）を下に下ろすための通路が形成される。
【００２１】
続いて、巻取りユニット（２）の回転用動力源（２１）は駆動部材（２２）によりシャフト（２３）を連動させて逆回転させ、シャフト（２３）に巻き取られたカーテン（３）はボックス（１）の開口部（１２）からボックス（１）の外に放出され、カーテン（３）が開口部（１２）を通過すると、カーテン（３）の底端のウェザーストリップ（３１）及びウェイトブロック（３２）はその重量により開口部（１２）箇所を半分遮蔽させる排煙板（１３）を押し開け、開口部（１２）の外に進出する。次に、排煙板（１３）がウェザーストリップ（３１）及びウェイトブロック（３２）の重量による押圧を失うと、回復力により復位し、カーテン（３）に緊密に当接される〔図３に図示する〕。これにより、濃煙等がカーテン（３）とボックス（１）の開口部（１２）との間に形成される隙間に沿ってカーテン（３）の反対側に流れ込むのを防ぐ。
【００２２】
さらに、図６に示すように、カーテン（３）がカーテンレール（４）のガイド溝（４１）の前側の溝壁と挟持板（５）との間に形成される通路に沿って持続的に下降すると、カーテン（３）の底端のウェザーストリップ（３１）はカーテンレール（４）の底側の位置に進み、前記カーテン（３）の底端のウェザーストリップ（３１）の側辺はカーテンレール（４）のガイド溝（４１）の底側に設置されるトリガースイッチ（７）に接触し、トリガースイッチ（７）によりトリガースイッチ（７）に接続される支持ユニット（６）の回転用動力源（６３）を作動させる。この際、図７に示すように、回転用動力源（６３）の駆動軸（６３１）は連結される能動輪（６４）を連動させて正回転させ、能動輪（６４）は歯合される従属輪（６２）を連動させて逆回転させる。続いて、従属輪（６２）に連結される支持板（６１）は従属輪（６２）に従って同様に逆回転し前方下方に一定の角度傾動し、支持板（６１）に枢設される挟持板（５）を前方下方に推進させ、挟持板（５）を前方カーテン（３）に当接させる。
【００２３】
回転用動力源（６３）が能動輪（６４）及び従属輪（６２）により支持板（６１）を連動させて定位させると、支持板（６１）は横方向に平坦な状態になり、前記支持板（６１）の両端部はカーテンレール（４）のガイド溝（４１）の後側の溝壁及び挟持板（５）の背面にそれぞれ当接される。これにより、挟持板（５）は前方に位置されるカーテン（３）に緊密に当接され、カーテン（３）はカーテンレール（４）のガイド溝（４１）の前側の溝壁に当接され、カーテン（３）は前記ガイド溝（４１）の前側の溝壁と挟持板（５）との間に緊密に挟持される。この際、挟持板（５）の前面に設けられる気密ガスケット（５２）により挟持板（５）とカーテン（３）との間の気密性を高め、同時に、カーテン（３）の底側の背面箇所に設置されるウェイトブロック（３２）は挟持板（５）の前面の底側に設けられる凹部（５１）箇所に収納され、カーテンレール（４）、カーテン（３）、及び挟持板（５）の三者間に良好な気密状態を形成させていかなる隙間も残さない。これにより、カーテン（３）が建築物の通路の出入口或いはエレベーターのドア等の箇所を完全に封鎖させ、濃煙がカーテン（３）の反対側に流入するのを確実に防ぐ効果を達成させる。
【００２４】
前述の実施形態或いは図式は本考案に係る防煙防火カーテン装置の実施態様を限定させるものではなく、本技術分野で通常知識を有する者ならば適切な変更や修飾を加えることが可能であり、これも全て本考案に係る防煙防火カーテン装置の権利範囲に含まれる。
【００２５】
上述の構造及び実施方式から理解できるように、本考案は以下の長所を有する。
（１）本考案に係る防煙防火カーテン装置は主に、カーテンレールには支持ユニットが構設される挟持板が内設され、カーテンが下ろされた後、挟持板が連動されて前に移動し、カーテンは挟持板とカーテンレールとの間に緊密に挟持され、いかなる隙間も残らない。これにより、濃煙がカーテンの反対側に流入するのを確実に防止させる。
（２）本考案に係る防煙防火カーテン装置は、ボックスの底側の開口部には開口部を遮蔽させるための排煙板が構設される。これにより、カーテンの底端のウェイトブロックがボックスの開口部を通過すると、排煙板を押し開いて、カーテンの底端が開口部を通過させた後、可撓性を有する排煙板係は回復力によりカーテンに緊密に当接され、カーテンとボックスの開口部との間には隙間が形成されない。これにより、濃煙がカーテンとボックスの開口部との間からカーテンの反対側に流れ込むのを防ぐ効果を更に達成させる。
【００２６】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２７】
（１）      ボックス
（１１）    収納空間
（１２）    開口部
（１３）    排煙板
（２）      巻取りユニット
（２１）    回転用動力源
（２２）    駆動部材
（２３）    シャフト
（３）      カーテン
（３１）    ウェザーストリップ
（３２）    ウェイトブロック
（４）      カーテンレール
（４１）    ガイド溝
（４２）    載置板
（５）      挟持板
（５１）    凹部
（５２）    気密ガスケット
（５３）    耳部
（６）      支持ユニット
（６１）    支持板
（６１１）  ほぞ穴
（６１２）  枢軸
（６１３）  滑動面
（６２）    従属輪
（６３）    回転用動力源
（６３１）  駆動軸
（６４）    能動輪
（７）      トリガースイッチ
【図１】
0003195459.tif 000003
【図２】
0003195459.tif 000004
【図３】
0003195459.tif 000005
【図４】
0003195459.tif 000006
【図５】
0003195459.tif 000007
【図６】
0003195459.tif 000008
【図７】
0003195459.tif 000009